(57)【要約】【課題】不使用時にノズルと容器本体との間で流路を閉塞可能な構成としても、使用に際して当該流路が開放されたときに、容器本体内の内溶液が内圧によってノズルから外部に漏れ出すことのない泡噴出容器を提供する。【解決手段】内容液の戻し口２５を閉塞する逆止弁６０のシール膜部６２の上面に段差部６４を設け、ノズルヘッド４０に設けられた戻し口開閉部４５に、ノズルヘッド４０が閉位置から開位置に向けて回動したときに、排出口２６および戻し口２５が開放される前に、段差部６４に当接してシール膜部６２を装着キャップ２０の内面から離れる方向に押し下げる押下げ部６５を設けるとともに、押下げ部６５がシール膜部６２を装着キャップ２０の内面から離れる方向に押し下げたときに戻し口開閉部４５により閉塞された状態の戻し口２５と逆止弁６０との間の空間を外部に連通させる開放通路７０とを設ける。【選択図】図１
2016011125.tif 000002
【特許請求の範囲】
【請求項１】
可撓性を有する胴部を備え、内部が内容液の収容空間となる容器本体と、
内容液の排出口と戻し口とを備え、前記容器本体の口部に装着される装着キャップと、
前記排出口と前記戻し口とに連なるノズルを備え、前記装着キャップにねじ結合により装着されて開位置と閉位置との間で回動可能なノズルヘッドと、
前記ノズルヘッドに設けられ、該ノズルヘッドが閉位置のときに前記排出口を閉塞し、該ノズルヘッドが開位置のときに前記排出口を開放する排出口開閉部と、
前記ノズルヘッドに設けられ、該ノズルヘッドが閉位置のときに前記戻し口を閉塞し、該ノズルヘッドが開位置のときに前記戻し口を開放する戻し口開閉部と、
前記装着キャップに設けられ、前記排出口に連なる混合室を内部に有するとともに該混合室を前記収容空間に連ねる空気導入口と液導入口とを底部に備える区画部と、
前記区画部の外周面に固定される保持部と、該保持部の外周面から径方向外側に延び、前記装着キャップの内面に当接して前記戻し口を閉塞するシール膜部とを備え、該シール膜部の上面に段差部を備える逆止弁と、
前記戻し口開閉部に設けられ、前記ノズルヘッドが閉位置から開位置に向けて回動し、前記排出口および前記戻し口が開放される前に、前記段差部に当接して前記シール膜部を前記装着キャップの内面から離れる方向に押し下げる押下げ部と、
前記押下げ部が前記シール膜部を前記装着キャップの内面から離れる方向に押し下げたときに前記戻し口開閉部により閉塞された状態の前記戻し口と前記逆止弁との間の空間を外部に連通させる開放通路と、を有することを特徴とする泡噴出容器。
【請求項２】
前記シール膜部を、該シール膜部の軸心を中心とした所定の角度範囲で軸方向に凹ませることにより前記段差部が構成されている請求項１に記載の泡噴出容器。
【請求項３】
前記シール膜部の上面に設けた突起により前記段差部が構成されている請求項１に記載の泡噴出容器。
【請求項４】
前記シール膜部の外周縁が前記装着キャップの下向き面に当接する請求項１〜３の何れか１項に記載の泡噴出容器。
【請求項５】
前記ノズルヘッドが閉位置のときに前記ノズルを閉塞し、前記ノズルヘッドが開位置のときに前記ノズルを開放するノズル開閉機構を備える請求項１〜４の何れか１項に記載の泡噴出容器。
【発明の詳細な説明】
【技術分野】
【０００１】
本発明は、容器本体の胴部を圧搾（スクイズ）することにより、容器本体内に収容された内容液を空気と混合してノズルから泡状に噴出させる泡噴出容器に関する。
【背景技術】
【０００２】
シャンプー、ボディソープ、ハンドソープ、洗顔料等の各種液体洗浄剤や整髪剤等の内容液を収容する容器としては、泡立て動作を省略して簡便な利用を図る観点から、容器本体に収容した内容液を空気と混合してノズルから泡状に噴出させるようにした泡噴出容器が多く用いられている。
【０００３】
このような泡噴出容器では、内容液の吐出流路に内容液を空気と混合させる混合室を設けるとともに、混合室の下流に例えばメッシュ等からなる発泡部材を組み入れておき、容器本体の胴部を圧搾することで内容液を空気と混合させつつ発泡部材を通過させて泡状に発泡させ、ノズルから噴出させるようにしている。
【０００４】
一方、上記のような泡噴出容器として、使用後にノズルの内部に残留した泡状の内容液が時間の経過と共に液化してノズルの先端から垂れ落ちることを防止するために、所謂サックバック機能を持たせるようにしたものが知られている。
【０００５】
例えば特許文献１には、ノズルと容器本体との間に吐出流路とは別にノズルと容器本体とを連通する戻し流路を設け、この戻し流路に容器本体内からノズルへ向けた内容液の流れを規制するとともにノズルから容器本体内へ向けた内容液の流れを許容する逆止弁を設けて、圧搾が解除されたときに容器本体内に生じる負圧によってノズルに残留した内容液を戻し流路を通して容器本体内に引き戻すようにした泡噴出容器が記載されている。
【先行技術文献】
【特許文献】
【０００６】
【特許文献１】特開２０１４−４６９３８号公報
【発明の概要】
【発明が解決しようとする課題】
【０００７】
上記従来の泡噴出容器では、不使用時等において容器が横向きや倒立姿勢にされると、吐出流路や戻し流路を通して容器本体内の内溶液がノズルから漏れ出すおそれがある。そこで、容器が横向きや倒立姿勢にされても内容液がノズルから漏れ出すことを防止するために、ノズルヘッドの回動操作によって不使用時にノズルと容器本体との間の流路を閉塞可能な構成とすることが考えられる。
【０００８】
しかしながら、このような構成では、ノズルと容器本体との間の流路が閉塞された状態において、温度上昇等の何らかの要因によって容器本体内の内圧が上昇すると、当該内圧により戻し流路は逆止弁により閉塞されることから、使用に際してノズルヘッドを回動操作してノズルと容器本体との間の流路を開放したときに、内圧によって容器本体内の内溶液が吐出流路に圧送されてノズルの先端から外部に漏れ出るおそれがあった。
【０００９】
本発明は、このような点を解決することを課題とするものであり、その目的は、不使用時にノズルと容器本体との間で流路を閉塞可能な構成としても、使用に際して当該流路が開放されたときに、容器本体内の内溶液が内圧によってノズルから外部に漏れ出すことのない泡噴出容器を提供することにある。
【課題を解決するための手段】
【００１０】
本発明の泡噴出容器は、可撓性を有する胴部を備え、内部が内容液の収容空間となる容器本体と、内容液の排出口と戻し口とを備え、前記容器本体の口部に装着される装着キャップと、前記排出口と前記戻し口とに連なるノズルを備え、前記装着キャップにねじ結合により装着されて開位置と閉位置との間で回動可能なノズルヘッドと、前記ノズルヘッドに設けられ、該ノズルヘッドが閉位置のときに前記排出口を閉塞し、該ノズルヘッドが開位置のときに前記排出口を開放する排出口開閉部と、前記ノズルヘッドに設けられ、該ノズルヘッドが閉位置のときに前記戻し口を閉塞し、該ノズルヘッドが開位置のときに前記戻し口を開放する戻し口開閉部と、前記装着キャップに設けられ、前記排出口に連なる混合室を内部に有するとともに該混合室を前記収容空間に連ねる空気導入口と液導入口とを底部に備える区画部と、前記区画部の外周面に固定される保持部と、該保持部の外周面から径方向外側に延び、前記装着キャップの内面に当接して前記戻し口を閉塞するシール膜部とを備え、該シール膜部の上面に段差部を備える逆止弁と、前記戻し口開閉部に設けられ、前記ノズルヘッドが閉位置から開位置に向けて回動し、前記排出口および前記戻し口が開放される前に、前記段差部に当接して前記シール膜部を前記装着キャップの内面から離れる方向に押し下げる押下げ部と、前記押下げ部が前記シール膜部を前記装着キャップの内面から離れる方向に押し下げたときに前記戻し口開閉部により閉塞された状態の前記戻し口と前記逆止弁との間の空間を外部に連通させる開放通路と、を有することを特徴とする。
【００１１】
本発明は、上記構成において、前記シール膜部を、該シール膜部の軸心を中心とした所定の角度範囲で軸方向に凹ませることにより前記段差部が構成されているのが好ましい。
【００１２】
本発明は、上記構成において、前記シール膜部の上面に設けた突起により前記段差部が構成されているのが好ましい。
【００１３】
本発明は、上記構成において、前記シール膜部の外周縁が前記装着キャップの下向き面に当接するのが好ましい。
【００１４】
本発明は、上記構成において、前記ノズルヘッドが閉位置のときに前記ノズルを閉塞し、前記ノズルヘッドが開位置のときに前記ノズルを開放するノズル開閉機構を備えるのが好ましい。
【発明の効果】
【００１５】
本発明によれば、ノズルヘッドを閉位置から開位置に向けて回動させると、排出口と戻し口とが開放される前に、容器本体の収容空間が開放通路を通して外部に連通されるので、ノズルヘッドを閉位置とした状態において容器本体の内圧が上昇しても、ノズルヘッドを閉位置から開位置に向けて回動させる際に当該内圧を開放通路を通して外部に逃がして、容器本体内の内溶液が内圧によってノズルから外部に漏れ出すことを防止することができる。したがって、本発明によれば、不使用時にノズルと容器本体との間で流路を閉塞可能な構成としても、使用に際して当該流路が開放されたときに、容器本体内の内溶液が内圧によってノズルから外部に漏れ出すことのない泡噴出容器を提供することができる。
【図面の簡単な説明】
【００１６】
【図１】本発明の一実施の形態である泡噴出容器の、ノズルヘッドが開位置とされた状態における断面図である。
【図２】図１に示す泡噴出容器の、ノズルヘッドが閉位置とされた状態における断面図である。
【図３】逆止弁の詳細を示す斜視図である。
【図４】図２に示す状態における逆止弁と押下げ部との位置関係を示す説明図である。
【図５】図１に示す泡噴出容器の、容器本体の収容空間が開放通路を介して外部に連通された状態における断面図である。
【図６】図５に示す状態における逆止弁と押下げ部との位置関係を示す説明図である。
【図７】図１に示す状態における逆止弁と押下げ部との位置関係を示す説明図である。
【図８】図３に示す逆止弁の変形例の斜視図である。
【図９】ノズルヘッドが閉位置とされた状態における図８に示す突起と押下げ部との位置関係を示す説明図である。
【発明を実施するための形態】
【００１７】
以下、図面を参照して本発明をより詳細に例示説明する。
【００１８】
図１に示す本発明の一実施の形態である泡噴出容器１は、スクイズフォーマーとも呼ばれるものであり、シャンプー、ボディソープ、ハンドソープ、洗顔料等の各種液体洗浄剤や整髪剤等の内容液を収容するとともに、当該内容液を泡状に噴出させるものである。
【００１９】
この泡噴出容器１は容器本体１０を備えている。容器本体１０は上部を開口させた円筒状の口部１１とこの口部１１に連なる胴部１２とを備え、その内部は内容液を収容する収容空間Ｓ１となっている。この容器本体１０は合成樹脂製となっており、その胴部１２は可撓性を有し、胴部１２を圧搾（スクイズ）することにより収容空間Ｓ１を減容させ、容器本体１０内を加圧することができるようになっている。
【００２０】
容器本体１０の口部１１には装着キャップ２０が装着されている。例えば樹脂製とされるこの装着キャップ２０は、容器本体１０の口部１１を取り囲む円筒状の外周壁２１を有し、この外周壁２１の内周面に設けられた雌ねじ部２１ａが口部１１の外周面に設けられた雄ねじ部１１ａにねじ結合することにより、容器本体１０の口部１１にねじ込み固定されている。外周壁２１の内側にはシール筒部２２が同軸且つ一体に設けられ、このシール筒部２２が口部１１の内側に嵌め込まれることで、装着キャップ２０と口部１１との嵌合部分がシールされて当該部分からの液漏れが防止されるようになっている。
【００２１】
口部１１の根元には小突起１１ｂと大突起１１ｃとが周方向に間隔を空けて設けられ、外周壁２１の下端部には、これらの突起１１ｂ、１１ｃに対応した回り止めリブ２１ｂが設けられている。装着キャップ２０が口部１１にねじ込まれると、そのねじ込み終了直前に回り止めリブ２１ｂが小突起１１ｂを乗り越えて小突起１１ｂと大突起１１ｃとの間に配置され、これにより装着キャップ２０は口部１１に対して回り止め保持される。
【００２２】
図示する場合では、装着キャップ２０を容器本体１０の口部１１にねじ結合により固定するようにしているが、装着キャップ２０を容器本体１０の口部１１にアンダーカットで固定させる構成とすることもできる。
【００２３】
装着キャップ２０にはシール筒部２２よりも内側において上方に向けて突出する円筒状の流通筒部２３が一体に設けられている。また、装着キャップ２０の流通筒部２３の内側には、内側が盛り上がった円環状に形成された区画リング部２４が同軸且つ一体に設けられている。流通筒部２３と区画リング部２４の連結部分は円弧状に切り欠かれ、これにより流通筒部２３と区画リング部２４との間には内容液の戻し口２５が構成されている。この戻し口２５は、容器本体１０の収容空間Ｓ１と装着キャップ２０の外側部分とを連通させる。また、区画リング部２４の内側は内容液の排出口２６となっている。
【００２４】
装着キャップ２０の区画リング部２４の下方には区画部２７が一体に設けられている。この区画部２７の内部には、排出口２６に連なる混合室２８が区画形成されている。また、区画部２７の底部には、混合室２８と収容空間Ｓ１とを連通する空気導入口２９と液導入口３０とが設けられている。図示する場合では、区画部２７の底部には、その下面から下方に向けて突出する差込み筒部３１が一体に設けられ、この差込み筒部３１に差し込まれて容器本体１０の底部にまで延びるチューブ３２により液導入口３０が構成されている。また、差込み筒部３１の内周面には複数の縦リブが周方向に間隔を空けて設けられ、これらの縦リブによって差込み筒部３１の内周面とチューブ３２の外周面との間に設けられた隙間で空気導入口２９が構成されている。このような構成により、収容空間Ｓ１内の内容液はチューブ３２で構成された液導入口３０から混合室２８に導入され、収容空間Ｓ１内の空気は空気導入口２９を介して混合室２８に導入される。なお、液導入口３０から導入された内容液と空気導入口２９から導入された空気は、底部の内面に上方に向けて突出して設けられた円錐形状の取入れ部３３の側方の開口から混合室２８内に導入され、当該混合室２８内で混合される。
【００２５】
区画部２７の内部には、混合室２８の上方側（下流側）に位置して一対の発泡部材３４が装着されている。これらの発泡部材３４としては、例えばリングの端面にメッシュを固定した構成のものが用いられ、互いのメッシュを逆側に向けた姿勢で区画部２７の内面に嵌合固定される。なお、発泡部材３４としては、リングとメッシュを備えた構造のものに限らず、内容液の種類等に応じて種々の構成のものを用いることができる。また、発泡部材３４の設置個数も内容液の種類等に応じて種々変更することができる。
【００２６】
装着キャップ２０にはノズルヘッド４０が装着されている。ノズルヘッド４０はノズル４１を有し、発泡部材３４を通して発泡された内容液は、排出口２６から排出されてノズル４１の開口から外部に噴出される。
【００２７】
装着キャップ２０にはノズル装着筒部３５が一体に設けられ、ノズルヘッド４０はこのノズル装着筒部３５にねじ結合により装着される。より具体的には、例えば樹脂製とされるノズルヘッド４０は、ノズル装着筒部３５の外側に配置される円筒状の装着筒部４２を備え、装着筒部４２の内周面に設けられた雌ねじ部４２ａが、ノズル装着筒部３５の外周面に設けられた雄ねじ部３５ａにねじ結合することにより、装着キャップ２０に装着されている。このような構成により、ノズルヘッド４０は、容器本体１０の口部１１の軸心を中心として、装着キャップ２０に対して図１に示す開位置と図２に示す閉位置との間で回動自在となっている。なお、ノズルヘッド４０は、装着キャップ２０にねじ結合により装着されているので、閉位置から開位置へ向けて回動すると、装着キャップ２０に対して、雌ねじ部４２ａおよび雄ねじ部３５ａのリード角に応じたピッチで上方に移動することになる。
【００２８】
ノズルヘッド４０は装着筒部４２に連なるドーム状のヘッド本体４３を備え、このヘッド本体４３から斜め上方に向けてノズル４１が突出している。ノズル４１は、装着キャップ２０の排出口２６と戻し口２５とに連通するとともに外部に開口している。
【００２９】
ノズルヘッド４０には、排出口開閉部４４が一体に設けられている。排出口開閉部４４は円筒状に形成されてヘッド本体４３の内面から排出口２６に向けて下方に突出しており、その外径寸法は排出口２６の内径寸法と同等とされている。排出口開閉部４４は、ノズルヘッド４０が閉位置にあるときには排出口２６の内側に嵌合して排出口２６を閉塞し（図２に示す状態）、ノズルヘッド４０が開位置にあるときには排出口２６の上方に移動して排出口２６を開放する（図１に示す状態）。
【００３０】
また、ノズルヘッド４０には、戻し口開閉部４５が設けられている。戻し口開閉部４５は円筒状に形成されてヘッド本体４３の外周縁部分から戻し口２５に向けて下方に突出しており、その外径寸法は流通筒部２３の内径寸法と同等とされ、その内径寸法は区画リング部２４の外径寸法と同等とされている。戻し口開閉部４５は、ノズルヘッド４０が閉位置にあるときには流通筒部２３と区画リング部２４との間の隙間に配置されて当該隙間つまり戻し口２５を閉塞し（図２に示す状態）、ノズルヘッド４０が開位置にあるときには流通筒部２３と区画リング部２４との間から上方に移動して戻し口２５を開放する（図１に示す状態）。
【００３１】
ノズルヘッド４０には、ノズル開閉機構５０が設けられている。ノズル開閉機構５０は、ノズル４１の内部に配置されるノズル開閉弁５１と、ノズル開閉弁５１の開閉を制御する制御壁５２とを有する。ノズル開閉弁５１は、ノズル４１に先端側から嵌め込まれてノズル４１の開口４１ａを構成する樹脂製のキャップ体５３と一体に設けられており、このキャップ体５３とノズル４１との内側に収容されてノズル４１の開口４１ａに向けて進退移動自在に収容されている。キャップ体５３とノズル開閉弁５１の基部５１ａとの間には、バネ部５４が一体に設けられ、このバネ部５４によりノズル開閉弁５１はノズル４１の開口４１ａから離れる方向に向けて付勢されている。
【００３２】
一方、制御壁５２は装着キャップ２０の区画リング部２４の上面から上方に向けて突出する円弧状の壁として構成されている。制御壁５２は、周方向の一方側から他方側に向けて徐々に径方向への厚みを増し、つまり、ノズルヘッド４０の軸心に対する外周面の径方向距離が徐々に増加する形状とされている。
【００３３】
ノズル開閉弁５１の基部５１ａは、バネ部５４により押された状態で制御壁５２の外周面に当接している。ノズルヘッド４０が開位置にあるときには、図１に示すように、ノズル開閉弁５１の基部５１ａは制御壁５２の厚みが薄い部分の外周面に当接し、その先端部５１ｂがノズル４１の開口４１ａを開放する開放位置とされる。一方、ノズルヘッド４０が回動して閉位置とされると、ノズル開閉弁５１の基部５１ａが制御壁５２の厚みが厚い部分の外周面に当接するので、ノズル開閉弁５１はバネ部５４のバネ力に抗して制御壁５２により開口４１ａの側に向けて押され、その先端部５１ｂがノズル４１の開口４１ａを閉塞する閉塞位置とされる。このように、ノズル開閉機構５０は、ノズルヘッド４０が開位置のときにはノズル４１の開口４１ａを開放し、ノズルヘッド４０が閉位置のときにはノズル４１の開口４１ａを閉塞させるように作動する。
【００３４】
戻し口２５には、逆止弁６０が設けられている。この逆止弁６０は区画部２７の外周面に嵌合固定される円筒状の保持部６１と、この保持部６１の外周面から径方向外側に延びる環状且つ膜状のシール膜部６２とを有している。
【００３５】
シール膜部６２は、その円筒状に形成された外周縁６３の上端において装着キャップ２０の下向き面（内面）３６に下方側から弾性的に当接して戻し口２５を閉塞する。この逆止弁６０は、容器本体１０の収容空間Ｓ１から戻し口２５を通したノズル４１への空気や内容液の流れを規制する一方、ノズル４１から戻し口２５を通した容器本体１０の収容空間Ｓ１への空気や内容液の流れを許容するように機能する。
【００３６】
逆止弁６０のシール膜部６２の戻し口２５の側を向く上面には、図３に示すように、段差部６４が設けられている。図示する場合では、段差部６４は、シール膜部６２の一部を、その軸心を中心とした所定の角度範囲で軸方向に凹ませることで構成されている。この段差部６４は、一対の傾斜部６４ａとこれらの傾斜部６４ａの間の平坦な底面部６４ｂとを有している。傾斜部６４ａの傾斜角度は、ノズルヘッド４０を装着キャップ２０にねじ結合させる雄ねじ部３５ａおよび雌ねじ部４２ａのリード角よりも大きくされている。
【００３７】
戻し口開閉部４５の下端には押下げ部６５が一体に設けられている。押下げ部６５は、流通筒部２３と区画リング部２４との径方向間隔よりも薄く且つ段差部６４の底面部６４ｂよりも周方向の幅が狭い板状に形成されており、戻し口開閉部４５の下端から下方に向けて突出して戻し口２５に挿通されている。ノズルヘッド４０が閉位置にあるときには、図４に示すように、押下げ部６５は、段差部６４の底面部６４ｂに僅かに軸方向間隔を空けて対向するように配置される。
【００３８】
ノズルヘッド４０が閉位置から開位置に向けて回動すると、傾斜部６４ａの傾斜角度が装着キャップ２０に対するノズルヘッド４０のねじ結合のリード角よりも大きくされていることから、図５、図６に示すように、押下げ部６５は、排出口２６および戻し口２５が排出口開閉部４４および戻し口開閉部４５により開放される前に、段差部６４の傾斜部６４ａに当接してシール膜部６２を下方、つまりその外周縁６３を装着キャップ２０の下向き面３６から離す方向に押し下げる。このように、押下げ部６５によりシール膜部６２が下方に押し下げられることにより、シール膜部６２の外周縁６３が装着キャップ２０の下向き面３６から離れて、戻し口開閉部４５により閉塞された状態の戻し口２５と逆止弁６０との間の空間Ｓ２が容器本体１０の収容空間Ｓ１に連通される。
【００３９】
なお、ノズルヘッド４０が開位置にまで達すると、図７に示すように、押下げ部６５がシール膜部６２から離れて逆止弁６０は戻し口２５を閉塞した状態に復帰することになる。
【００４０】
押下げ部６５によりシール膜部６２が下方に押し下げられたときに、戻し口開閉部４５により閉塞された状態の戻し口２５と逆止弁６０との間の空間Ｓ２を外部に連通させるために、流通筒部２３と戻し口開閉部４５との間には開放通路７０が設けられる。この開放通路７０は、流通筒部２３の内周面に設けられて空間Ｓ２に連なる第１溝部７１と、戻し口開閉部４５の外周面に設けられる第２溝部７２とで構成される。ノズルヘッド４０が開位置にあるときには、図１に示すように、第１溝部７１と第２溝部７２とが互いに軸方向にずれ、開放通路７０は空間Ｓ２を外部に連通させない閉状態とされる。また、ノズルヘッド４０が閉位置にあるときにも、図２に示すように、第１溝部７１と第２溝部７２とが互いに連通されるが第２溝部７２の上端が閉塞された状態となって、開放通路７０は空間Ｓ２を外部に連通させない閉状態とされる。これに対して、ノズルヘッド４０が閉位置から所定角度だけ回動され、押下げ部６５によりシール膜部６２が下方に押し下げられた状態のときには、図５に示すように、第１溝部７１と第２溝部７２とが互いに連通されるとともに、第２溝部７２の上端が装着キャップ２０とノズルヘッド４０の間の空間およびこれらのねじ結合部分とを介して外部に連通されて、開放通路７０は空間Ｓ２を外部に連通する開状態とされる。
【００４１】
次に、このような構成の泡噴出容器１の使用方法について説明する。
【００４２】
図１に示すように、ノズルヘッド４０を開位置とすることで、排出口２６および戻し口２５が開放され、逆止弁６０のシール膜部６２の外周縁６３が装着キャップ２０の下向き面３６に当接し、開放通路７０が閉状態とされるとともにノズル開閉機構５０によりノズル４１の開口４１ａが開かれて、泡噴出容器１は胴部１２の圧搾（スクイズ）による内容液の噴出が可能な使用可能状態とされる。
【００４３】
ノズルヘッド４０が開位置とされた状態で、容器本体１０の胴部１２を圧搾することでノズル４１の開口４１ａから泡状の内容液を噴出させることができる。つまり、胴部１２が圧搾されると、容器本体１０の収容空間Ｓ１に収容された内容液がチューブ３２を介して混合室２８に導入されるとともに容器本体１０内の空気が空気導入口２９を介して混合室２８に導入され、混合室２８の内部で内容液が空気と混合されて発泡し、泡状化される。また、泡状化された内容液は、発泡部材３４を通過することで、さらに発泡、整泡されながら排出口２６を通ってノズル４１に達し、ノズル４１の開口４１ａから外部に泡状に噴出される。
【００４４】
内容液の噴出後に胴部１２の圧搾が解除されると、胴部１２が元の形状に復元することで容器本体１０内に負圧が発生し、この負圧により逆止弁６０が開いてノズル４１の内部に残留した内容液がノズル４１から吸引される空気（外気）とともに戻し口２５を介して容器本体１０の内部に引き込まれる。サックバック機能とも呼ばれるこのような機能により、噴出後にノズル４１の内部に残留した内容液を空気とともに容器本体１０内に向けて引き込んで、当該内容液がノズル４１の開口４１ａから外部へ垂れ落ちることを防止することができる。
【００４５】
一方、不使用時等においては、図２に示すように、ノズルヘッド４０を装着キャップ２０に対して締め込み方向に回動させて閉位置とすることにより、排出口２６と戻し口２５とを排出口開閉部４４および戻し口開閉部４５により閉塞して、ノズル４１と容器本体１０の収容空間Ｓ１との間の流路を遮断し、この泡噴出容器１を使用不能状態とすることができる。このとき、ノズル開閉機構５０によりノズル４１の開口４１ａが閉じられるとともに開放通路７０も閉状態とされる。
【００４６】
このように、この泡噴出容器１では、ノズルヘッド４０を開位置から閉位置にまで回動させる簡単な操作で、この泡噴出容器１を使用不能状態として、不使用時等において胴部１２が不意に圧搾される等しても、容器本体１０内の内容液がノズル４１を通して外部に漏れ出すことを確実に防止することができる。
【００４７】
ところで、上記のように、泡噴出容器１は、ノズルヘッド４０を閉位置とすることによりノズル４１と容器本体１０の収容空間Ｓ１との間の流路を遮断可能な構成であるので、この状態で容器本体１０が気温の上昇等により温められると、容器本体１０内の内圧が上昇する場合がある。このように内圧が上昇した状態のままノズル４１を開放すると、当該内圧により容器本体１０内の内容液が圧送されてノズル４１の開口４１ａから外部に漏れ出るおそれがある。しかしながら、この泡噴出容器１では、ノズル４１を開放するに際して、以下のように当該内圧を外部に逃がして、容器本体１０内の内容液がノズル４１の先端から外部に漏れ出ることを防止することができる。
【００４８】
つまり、ノズルヘッド４０が閉位置から開位置に向けて回動されると、排出口２６および戻し口２５が排出口開閉部４４および戻し口開閉部４５により開放される前に、図５、図６に示すように、押下げ部６５が段差部６４の傾斜部６４ａに当接して逆止弁６０のシール膜部６２が下方に押し下げられ、その外周縁６３が装着キャップ２０の下向き面３６から離れて、空間Ｓ２が容器本体１０の収容空間Ｓ１に連通されることになる。また、このとき、開放通路７０により、空間Ｓ２は外部に連通される。したがって、容器本体１０の収容空間Ｓ１は空間Ｓ２および開放通路７０を介して外部に連通されるので、収容空間Ｓ１の内圧を外部に逃がすことができる。
【００４９】
一方、押下げ部６５は、ノズルヘッド４０の回動により、その先端部が段差部６４の傾斜部６４ａに一瞬だけ当接してシール膜部６２の外周縁６３のシールを開放し、その後、ノズルヘッド４０がさらに回動して開位置にまで達すると、図７に示す位置にまで移動してシール膜部６２から離れ、逆止弁６０の機能を復帰させる。したがって、ノズルヘッド４０が開位置となると、泡噴出容器１は胴部１２の圧搾による内容液の噴出が可能な使用可能状態とされる。このように、ノズルヘッド４０を閉位置から開位置にまで回動させる簡単な操作で、容器本体１０内の内圧を逃がしつつ泡噴出容器１を使用可能状態にすることができる。
【００５０】
図８は図３に示す逆止弁の変形例の斜視図であり、図９はノズルヘッドが閉位置とされた状態における図８に示す突起と押下げ部との位置関係を示す説明図である。なお、図８、図９においては前述した部材に対応する部材には同一の符号を付してある。
【００５１】
逆止弁６０に設ける段差部６４は、図３に示すように、シール膜部６２の一部を凹ませた構成に限らず、図８に示すように、シール膜部６２の上面に設けた突起６６で構成することもできる。この場合、段差部６４を構成する突起６６は、一対の傾斜部６６ａと平坦な頂面６６ｂとを有する台形形状とされ、傾斜部６６ａの傾斜角度は、ノズルヘッド４０を装着キャップ２０にねじ結合させる雄ねじ部３５ａおよび雌ねじ部４２ａのリード角よりも大きくされている。
【００５２】
ノズルヘッド４０が閉位置にあるときには、図９に示すように、押下げ部６５は、突起６６に隣接するとともにシール膜部６２の上面に僅かに間隔を空けて対向するように配置される。
【００５３】
ノズルヘッド４０が閉位置から開位置に向けて回動すると、傾斜部６６ａの傾斜角度が装着キャップ２０に対するノズルヘッド４０のねじ結合のリード角よりも大きくされていることから、押下げ部６５は排出口２６および戻し口２５が排出口開閉部４４および戻し口開閉部４５により開放される前に、段差部６４の傾斜部６６ａに当接してシール膜部６２を下方、つまりその外周縁６３を装着キャップ２０の下向き面３６から離す方向に押し下げる。このように、突起６６で構成された段差部６４を有する逆止弁６０によっても、押下げ部６５によりシール膜部６２を下方に押し下げて、シール膜部６２の外周縁６３を装着キャップ２０の下向き面３６から離して空間Ｓ２を容器本体１０の収容空間Ｓ１に連通させることができる。
【００５４】
本発明は前記実施の形態に限定されるものではなく、その要旨を逸脱しない範囲で種々変更可能であることはいうまでもない。
【００５５】
例えば、前記実施形態では、逆止弁６０のシール膜部６２の外周縁６３を装着キャップ２０の下向き面３６に当接させるようにしているが、戻し口２５を閉塞可能な部位であれば、装着キャップ２０の他の内面にシール膜部６２の外周縁６３を当接させるようにしてもよい。
【００５６】
また、逆止弁６０に設ける段差部６４の構成は、上記した凹みおよび台形状の突起６６を用いたものに限らず、例えば、湾曲面状の凹みや円弧状の突起を用いたものとするなど、その形状は種々変更可能である。
【００５７】
さらに、区画部２７に設けられる空気導入口２９および液導入口３０は、その機能を有するものであれば、種々の構成とすることができる。
【符号の説明】
【００５８】
１    泡噴出容器
１０    容器本体
１１    口部
１１ａ  雄ねじ部
１１ｂ  小突起
１１ｃ  大突起
１２    胴部
２０    装着キャップ
２１    外周壁
２１ａ  雌ねじ部
２１ｂ  回り止めリブ
２２    シール筒部
２３    流通筒部
２４    区画リング部
２５    戻し口
２６    排出口
２７    区画部
２８    混合室
２９    空気導入口
３０    液導入口
３１    差込み筒部
３２    チューブ
３３    取入れ部
３４    発泡部材
３５    ノズル装着筒部
３５ａ  雄ねじ部
３６    下向き面（内面）
４０    ノズルヘッド
４１    ノズル
４１ａ  開口
４２    装着筒部
４２ａ  雌ねじ部
４３    ヘッド本体
４４    排出口開閉部
４５    戻し口開閉部
５０    ノズル開閉機構
５１    ノズル開閉弁
５１ａ  基部
５１ｂ  先端部
５２    制御壁
５３    キャップ体
５４    バネ部
６０    逆止弁
６１    保持部
６２    シール膜部
６３    外周縁
６４    段差部
６４ａ  傾斜部
６４ｂ  底面部
６５    押下げ部
６６    突起
６６ａ  傾斜部
６６ｂ  頂面
７０    開放通路
７１    第１溝部
７２    第２溝部
Ｓ１    収容空間
Ｓ２    空間
【図１】
2016011125.tif 000003
【図２】
2016011125.tif 000004
【図３】
2016011125.tif 000005
【図４】
2016011125.tif 000006
【図５】
2016011125.tif 000007
【図６】
2016011125.tif 000008
【図７】
2016011125.tif 000009
【図８】
2016011125.tif 000010
【図９】
2016011125.tif 000011